(57)【要約】      （修正有）【課題】なめくじ誘殺剤を水から守り、且つなめくじの死骸処理が容易にできるなめくじ駆除具を提供する。【解決手段】なめくじ誘殺剤３を収納する上面が開口した容器１に上面が開口した覆いを逆さに組み合わせたなめくじ駆除具において、前記容器は前記開口部横になめくじを誘導する開口部２を有し、前記覆いは前記開口部横になめくじを誘導する開口部を有し、前記容器と前記覆いの間に隙間を有し、前記容器横の前記開口部が前記覆い横の前記開口部より高い位置にあることを特徴とする。【選択図】図１
0003192113.tif 000002
【実用新案登録請求の範囲】
【請求項１】
なめくじ誘殺剤を収納する上面が開口した容器に上面が開口した覆いを逆さに組み合わせたなめくじ駆除具において、
前記容器は前記開口部横になめくじを誘導する開口部を有し、前記覆いは前記開口部横になめくじを誘導する開口部を有し、前記容器と前記覆いの間に隙間を有し、前記容器横の前記開口部が前記覆い横の前記開口部より高い位置にあることを特徴とするなめくじ駆除具
【請求項２】
前記覆いは前記容器より長く設定され、前記覆い横の開口部は前記容器横の開口部より長く設定され、前記覆いは地面に突き刺して固定されたとき、前記覆い横の開口部が地面より上に位置することを特徴とする請求項１に記載のなめくじ駆除具
【考案の詳細な説明】
【技術分野】
【０００１】
本考案は畑や花壇等でなめくじによる被害対策の為のなめくじ駆除具に関する。
【背景技術】
【０００２】
従来からなめくじ駆除具はなめくじ誘殺剤と容器で構成されており、なめくじ誘殺剤としてはメタアルデヒドを主成分とする粉末状、錠剤状、塊状の薬剤が市販されており、なめくじを誘引し、薬剤を食べたなめくじを致死させるものである。しかし、こうしたなめくじ誘殺剤には水分が加わると効力が著しく低下する弱点があり、地面に撒いたり、空き缶、容器等に入れて屋外に置いたりした場合には雨に濡れて効果がなくなってしまう。
【０００３】
以前より従来技術として、例えば特許文献１、特許文献２、特許文献３にはトレイ状の上面開口容器と傘状の天板部材と支持部材によって構成されたなめくじ誘殺剤を入れる容器が開示されている。特許文献４には、底部になめくじ誘殺剤を接着、塗布等の方法で付着させ、底部側を上、開口端部を下にした状態で設置するなめくじ駆除具が開示されている。また、特許文献５には、容器全体が上部蓋体と下部本体とに分離でき、上部下向きの小穴を設けた蓋体に対して下部上向きの大穴を設けた本体とが対向し、上記容器の下部には害虫誘引剤を収納するための凹部を具備し、且つ本体が浮き上がった状態で設置できる捕虫器が開示されている。
【先行技術文献】
【特許文献】
【０００４】
【特許文献１】実開平７−１１１７９号
【特許文献２】特開平４−３３５８５１号
【特許文献３】実登第３０５５６８５号
【特許文献４】特開２０１１−２２３９３５号
【特許文献５】特開２００３−０７４０３号
【考案の概要】
【考案が解決しようとする課題】
【０００５】
特許文献１、特許文献２、特許文献３に示すなめくじ誘殺剤容器に横殴りの雨が降った時や水道水で圧力をかけて散水した時には、容器横の隙間から水が浸入して誘殺剤の効力を失ってしまうことがある。また、地面に少量の水が溜まった場合には、なめくじ誘殺剤容器に水が浸入して誘殺剤の効力を失ってしまうことになる。
【０００６】
特許文献４に示すなめくじ駆除具では誘殺剤が塊状のものに限定されてしまい、粉末状や錠剤状の誘殺剤の取付けは不可能であり、温度や湿度の変化によって接着剤が効力を失い落下するという欠点もある。
【０００７】
特許文献５に示す捕虫器は、ハエ・なめくじ・蟻・ダンゴ虫等の種々の害虫に対応しようとするものであり、なめくじ駆除に特化していないため、誘殺剤を入れる体積が容器全体に対して小さいという欠点があり、また構造が複雑であり高価となる等の欠点もある。また、捕虫器を畑に設置すると最初はなめくじの進入路が確保されているが、日が過ぎると容器が地面にめり込み、容器下からのなめくじの進入路が確保されず、容器上の小さな穴のみになるためなめくじの駆除効果が減少してしまう欠点もある。
【０００８】
本考案は、上記の従来技術のこうした問題点を解決するためになされたもので、横殴りの雨や地面に溜まった少量の水によってなめくじ誘殺剤が水に濡れることを防止することのできるなめくじ駆除具を提供することを目的とする。
【課題を解決するための手段】
【０００９】
上記目的を達成する為に、本考案１はなめくじ誘殺剤を収納する上面が開口した容器に上面が開口した覆いを逆さに組み合わせたなめくじ駆除具において、前記容器は前記開口部横になめくじを誘導する開口部を有し、前記覆いは前記開口部横になめくじを誘導する開口部を有し、前記容器と前記覆いの間に隙間を有し、前記容器横の前記開口部が前記覆い横の前記開口部より高い位置にあることを特徴とする。
【００１０】
本考案２は、本考案１に加えて、前記覆いは前記容器より長く設定され、前記覆い横の開口部は前記容器横の開口部より長く設定され、前記覆いは地面に突き刺して固定されたとき、前記覆い横の開口部が地面より上に位置することを特徴とする。また、容器と蓋の角を無くし、内側、外側も丸みをつけても良い。さらに、容器と蓋を透明なものにしても良い。
【考案の効果】
【００１１】
本考案１によれば、なめくじ誘殺剤を容器の底面に設置する為、容易に使用できる。容器横の開口部が覆い横の開口部より高い位置にあるため、横殴りの雨や水道水等による散水に対しても容器に水が浸入しないので、なめくじ誘殺剤の効力を失うことはない。また、畑に多少の水が溜まっていても水の侵入を防止することができる。
【００１２】
また、本考案１の容器と覆いの間に隙間を設け、容器開口部横と覆い開口部横にそれぞれ開口部を設けてあるので、なめくじの進入路を確保することができる。
【００１３】
本考案２によれば、覆いと覆い横の開口部が長くなっているので、地面に突き刺して容器と覆いを固定することが出来る。また、覆い横の開口部が地面より上に位置するように設定されているので、なめくじの進入路を確保することができる。容器と覆いの角を無くし、内側、外側も丸みをつけることにより怪我防止と死骸処理と掃除が簡単にできる。また容器と覆いを透明にすることにより容器中の状態がよく見え、なめくじがどれだけ取れたかが確認し易い。
【００１４】
したがって、特許文献１、特許文献２、特許文献３のなめくじ誘殺剤容器では容器横の隙間から水が浸入していたが、本解決手段により水の侵入を防止することができるようになる。特許文献４では塊状のなめくじ誘殺剤しか使用することが出来なかったが、本解決手段により粉末状、錠剤状、塊状などあらゆる形状のなめくじ誘殺剤を使用することができる。特許文献５に比べ、なめくじ誘殺剤を収納する容積を大きく取ることができ、また、構造が簡単であり、非常に安価に製造することができる。
【図面の簡単な説明】
【００１５】
【図１】なめくじ誘殺剤を収納する上面が開口した四角形の容器の外観斜視図
【図２】逆さにした状態の下面が開口した四角形の覆いの外観斜視図
【図３】なめくじ誘殺剤を収納する上面が開口した四角形の容器と逆さにした状態の下面が開口した四角形の覆いを組み合わせたなめくじ駆除具の外観斜視図
【考案を実施するための形態】
【００１６】
以下本考案の実施の形態を図面に基づいて説明する。ただし、本発明の技術的範囲は以下の実施形態に示した具体的な形状・寸法などには限定されない。
【実施例１】
【００１７】
図１に本発明の実施例１のなめくじ誘殺剤を収納する上面が開口した四角形の容器の外観斜視図を示し、図２に逆さにした状態の下面が開口した四角形の覆いの外観斜視図を示し、図３になめくじ誘殺剤を収納する上面が開口した四角形の容器と上面が開口した四角形の覆いを逆さに組み合わせたなめくじ駆除具の外観斜視図を示す。実施例１のなめくじ誘殺剤を収納する上面が開口した四角形の容器１は、透明で強固なプラスチック材料で製造され、上面の開口部横になめくじを誘導する開口部２を各辺に一個ずつ設けている。容器１の底面中心部は上側に丸く凸部４を設けることにより、なめくじの死骸処理及び掃除が簡単にでき、また設置するとき、安定する。また、容器１の角を無くして丸みを付けると怪我を防止する効果がある。逆さにした状態の下面が開口した四角形の覆い１１は、容器１と同様、透明で強固なプラスチック材料を用いて容器１より一回り大きく製造されており、下面の開口部横になめくじを誘導する開口部１２を各辺に一個ずつ設けている。また、覆い１１の角を無くして丸みを付けると怪我を防止する効果がある。
【００１８】
四角形の容器１と逆さにした状態の四角形の覆い１１を組み合わせたなめくじ駆除具２０は、容器１と覆い１１の間に隙間を有しており、容器１横の開口部２が覆い１１横の開口部１２より高い位置に設定されている。覆い１１の上面中心部に下側に凹部１３を設けてあるので、容器１と覆い１１との隙間が均等に出来るので、なめくじの進入路を容易に確保することができる。また、覆い１１を容器１より長くし、覆い１１の地面に突き刺すアンカー部１４を長く設定することにより、アンカー部をしっかりと地面に突き刺し容器１と覆い１１を同時に固定することが可能である。
【００１９】
なめくじ駆除具２０を野菜畑や花壇等に設置するとき、覆い１１を上から下へと力強く突き刺しても、なめくじ誘殺剤容器１の底部が地面に接触していてそれ以上誘殺剤容器１は地面に沈まない。そのため、水の浸入がなく誘殺剤の効力が失われず、多くのなめくじを駆除することができる。
【００２０】
なめくじ駆除具２０を夕方、畑の野菜や花壇の根元のなめくじの出没しそうな場所に設置する。なめくじ３０は、夜行性のため夜になると誘殺剤に誘われて、なめくじ駆除具２０に集まり、図３に示すように地面から覆い１１の開口部１２と容器１の開口部２を通って容器１の底面に置かれた誘殺剤３を食べることにより死亡し、翌朝にはたくさんのなめくじが駆除される。
【００２１】
容器１横の開口部２が覆い１１横の開口部１２より高い位置に設定されているので、横殴りの雨や水道水等による散水に対しても容器に水が浸入しないので、なめくじ誘殺剤の効力を失うことはない。また、畑に多少の水が溜まっていても水の侵入を防止することができる。
【００２２】
本発明の実施例１では、容器と覆いの外形を四角形としたが、丸形にしてもよい。実施例１のなめくじ駆除具は透明であるので、容器の中の状態が良く見えるため、なめくじの駆除状況等の確認が容易にできる。
【符号の説明】
【００２３】
１  なめくじ誘殺剤を収納する上面が開口した容器
２  容器の開口部
３  なめくじ誘殺剤  
４  容器の底面中央の凸部
１１  逆さにした状態の上面が開口した覆い
１２  覆いの開口部
１３  覆いの外側上面中心部の凹部
１４  覆いの地面に突き刺すアンカー部
２０  なめくじ誘殺剤を収納する上面が開口した容器と上面が開口した覆いを逆さに組み合わされたなめくじ駆除具
３０  なめくじ、
【図１】
0003192113.tif 000003
【図２】
0003192113.tif 000004
【図３】
0003192113.tif 000005
【手続補正書】
【提出日】平成26年6月2日(2014.6.2)
【手続補正１】
【補正対象書類名】実用新案登録請求の範囲
【補正対象項目名】請求項２
【補正方法】変更
【補正の内容】
【請求項２】
前記覆いの全ての各辺は前記容器の相対する各辺より長く設定され、前記覆いの開口部上部にある覆い部分の垂直方向の辺は前記容器横の開口部の垂直方向の辺より長く設定され、前記覆いは地面に突き刺して固定されたとき、前記覆い横の開口部が地面より上に位置することを特徴とする請求項１に記載のなめくじ駆除具
【手続補正２】
【補正対象書類名】明細書
【補正対象項目名】００１０
【補正方法】変更
【補正の内容】
【００１０】
本考案２は、本考案１に加えて、前記覆いの全ての各辺は前記容器の相対する各辺より長く設定され、前記覆いの開口部上部にある覆い部分の垂直方向の辺は前記容器横の開口部の垂直方向の辺より長く設定され、前記覆いは地面に突き刺して固定されたとき、前記覆い横の開口部が地面より上に位置することを特徴とする。また、容器と蓋の角を無くし、内側、外側も丸みをつけても良い。さらに、容器と蓋を透明なものにしても良い。